(57)【要約】【課題】  トイレ用等のロールペーパーホルダー装置において、ロールペーパからペーパーを引き出して使用した後に、ロールペーパーの端末部がロールペーパー本体に巻き付いて、次回のペーパーの取り出しがむずかしくなることがあるのを防止する。【解決手段】  ロールペーパーの支持手段４と、該支持手段４の上方に位置し後方部の蝶番３ａで回動自在に枢支すると共に前方端部にカッター手段３ｂを有するカバー手段３とからなるロールペーパーのホルダー装置１において、該カバー手段３の下方に、該カバー手段３の自重により前記ロールペーパーの周面に当接するローラ３ｃを軸支した。【選択図】        図１
2005261793.tif 000002
【特許請求の範囲】
【請求項１】
ロールペーパーの支持手段と、該支持手段の上方に位置し後方部で回動自在に枢支すると共に前方端部にロールペーパーのカッター手段を有するカバー手段とからなるロールペーパーのホルダー装置において、該カバー手段の下方に、該カバー手段の自重により前記ロールペーパーの周面に当接するローラを軸支したことを特徴とするロールペーパーホルダー装置。
【請求項２】
前記ローラは細径の円筒状に形成され、前記カッター手段との間に少許の間隔を存して前記カッター手段に平行に、前記カッター手段の後方の前記カバー手段の下方に回動自在に軸支されていることを特徴とする請求項１に記載のロールペーパーホルダー装置。
【請求項３】
前記カバー手段の両側部の下方へ向けて突片を突設し、これら突片に支持軸を架設し、該支持軸に前記ローラを軸支したことを特徴とする請求項１又は請求項２に記載のロールペーパーホルダー装置。
【請求項４】
前記カバー手段に設けた突片の前部に前記ローラと当接可能な邪魔板を横設して、該邪魔板が前記ローラの回転を制動可能に形成したことを特徴とする請求項１乃至請求項３のいずれか１に記載のロールペーパーホルダー装置。
【請求項５】
前記ロールペーパーホルダー装置にセットしたロールペーパーからペーパーを前方へ引き出したときに、前記ローラが少許前方へ移動すると共に該ローラが前記突片に設けた前記邪魔板の先端部に当接して、該ローラの回転が制動される構造に形成したことを特徴とする請求項４に記載のロールペーパーホルダー装置。
【発明の詳細な説明】
【技術分野】
【０００１】
本発明は、トイレ用等のロールペーパーの保持に最適なロールペーパーホルダー装置に関する。
【背景技術】
【０００２】
トイレ用ロールペーパーホルダーとしては、円筒形状のロールペーパー保持部とペーパーを切断するためのカッターとを有するペーパーホルダーにおいて、該ロールペーパー保持部を２分割した半円筒形状の蓋部と同じく半円筒形状の受け部とで形成し、該蓋部を一方の分割線において該受け部に蝶番により回動自在に蝶着すると共に他方の分割線側において該蓋部を閉じた場合に該蓋部と前記受け部との間にペーパーを通すための狭隘な間隙の開口部を形成したものがある（例えば、特許文献１参照。）。
【０００３】
また、箱体内に、少なくとも２個のロールペーパーを横向きに横方向に並べて配置可能なスペースを形成し、前記箱体の一方の内側面部からロールペーパーの支承軸を該スペースの内方に向かって突設してロールペーパーホルダーを形成すると共に、前記箱体の上面に、複数個のロールペーパーを横向き状にして上下に一列に積み重ねて内蔵可能なロールペーパーの補充室を上方に連設し、該補充室の上端はロールペーパーを補充する開口を形成すると共に、該補充室の底面を前記箱体内に開放して、該補充室内のロールペーパーが前記支承軸にて支承されているロールペーパーの側方に順次降下する構造に形成したマルチロールペーパー用のものもある（例えば、特許文献２参照。）。
【特許文献１】実用新案登録第３０３５９７０号公報
【特許文献２】特許第３４７９２５７号公報
【発明の開示】
【発明が解決しようとする課題】
【０００４】
前記特許文献１及び特許文献２のロールペーパーホルダーは、いずれもカッターを用いて所要長さのペーパーを切断して使用しているが、切断した後のロールペーパーの端部がロールペーパー本体に巻き付いて、次回のペーパー取り出しに困難を生ずることがあるという問題点があった。
【０００５】
本発明は前記の問題点を解消し、容易にロールペーパーの端部の取り出しが行なえるようなロールペーパーホルダー装置を提供することを目的とする。
【課題を解決するための手段】
【０００６】
本発明は上記の目的を達成すべく、ロールペーパーの支持手段と、該支持手段の上方に位置し後方部で回動自在に枢支すると共に前方端部にロールペーパーのカッター手段を有するカバー手段とからなるロールペーパーのホルダー装置において、該カバー手段の下方に、該カバー手段の自重により前記ロールペーパーの周面に当接するローラを軸支した。
【発明の効果】
【０００７】
本発明によれば、ロールペーパーを１個だけ収納する家庭用ロールペーパーホルダー、及び公衆トイレ等の多数のロールペーパーを収納したロールペーパーホルダーにも適用できて、ペーパーの引き出しを容易に行なえる効果を有する。
【発明を実施するための最良の形態】
【０００８】
本発明の最良の形態の実施例を以下に説明する。
【実施例１】
【０００９】
本発明のロールペーパーホルダー装置の実施例１を図面により説明する。
【００１０】
図１は本実施例のロールペーパーホルダー装置１の側面図、図２はその正面図を示す。
【００１１】
２は本体で、該本体２の背面をトイレの壁面等に取付けるようになっている。
【００１２】
３はカバー手段即ち蓋体で、該蓋体３は後方部の蝶番３ａを支点として回動可能に前記本体２に枢着されている。
【００１３】
尚、４はロールペーパーＲの芯部を挿通して保持する中心軸（ロールペーパーの支持手段）である。
【００１４】
又、３´及び３´´は、それぞれ前記蓋体３が回動して移動した状態を示す。
【００１５】
前記蓋体３は、ロールペーパーＲよりも少許幅広に形成され、該蓋体３の前方端部には波形の刃部を有するカッター３ｂ（カッター手段）が略直角の下向きに突設されている。
【００１６】
前記蓋体３の下方の前記カッター３ｂの後方に、細径の円筒状のローラ３ｃが、前記カッター３ｂに平行に、前記カッター３ｂとの間に少許の間隔を存して設けられている。
【００１７】
即ち、前記ローラ３ｃは、前記蓋体３の両側部の下方へ向けて突設した突片３ｄ、３ｄにそれぞれ設けた支持軸３ｅに回動自在に軸支されている。
【００１８】
図３にローラ３ｃの平面図を示した。
【００１９】
３ｃ１は該ローラ３ｃの芯部に設けられた軸穴で、該軸穴３ｃ１は前記支持軸３ｅの直径よりも充分大きな穴径を有しており、前記支持軸３ｅに軸支されたローラ３ｃが前後への少許の移動が可能となっている。
【００２０】
前記突片３ｄの前部に、前記ローラ３ｃと当接可能な邪魔板３ｆが横設されている。
【００２１】
該邪魔板３ｆは前記カッター３ｂに平行に設置され、前記蓋体３の両側部にある突片３ｄ、３ｄを接続している。
【００２２】
図４は、前記ローラ３ｃと前記邪魔板３ｆ等の作動についての説明図である。
【００２３】
次に、実施例１のロールペーパーホルダー装置１の使用方法及びそのメリットについて説明する。
【００２４】
ロールペーパーホルダー装置１は、個人住宅のトイレ又は公衆トイレ等に設置して用いられる。
【００２５】
ペーパーを使用するときには、ロールペーパーホルダー装置１のロールから、図４の矢印Ａのように下向きにペーパーを引き出す。
【００２６】
そして、所要の長さのペーパーを引き出してから、引き出してペーパーを矢印Ｂのように上向きに引張ると、蓋体３の前方端部に設置されているカッター３ｂの刃先にペーパーが当接して、刃先のシャーにより該ペーパーを切断して切り取ることができる。
【００２７】
このようにして先を切り取られたロールペーパーは、その先端部分がロール３ｃとカッター３ｂとの間の間隔分だけ、ロールペーパーＲの本体部分から浮き上っているので、次回のペーパー取り出し時に難なく先端部を引き出すことができる。
【００２８】
又、ロールペーパーホルダー１から所要の長さのペーパーを引き出した後に、これを図４の矢印Ｃのように水平方向に引いたときには、ローラ３ｃはペーパーとの摩擦で矢印Ｄの方向へ回転すると共に、ペーパーに連れて矢印Ｃの方向へ少許移動し、その外周部が邪魔板３ｆの内側エッジ３ｆ１に当接する。
【００２９】
このようにローラ３ｃと邪魔板３ｆとが当接すれば、前記内側エッジ３ｆ１によって該ローラ３ｃの回動は停止させられ、該ローラ３ｃと前記ロールペーパーＲの外周面との間に、前記引き出したロールペーパーを挟み込む。
【００３０】
この状態において、前記引き出したペーパーを無理に引きちぎれば、引きちぎられた後は不揃いの凸凹状の切断面となるので、次回のペーパー取り出し時にも、ロールペーパーＲの先端部を難なく引き出すことができる。
【産業上の利用可能性】
【００３１】
本発明は、家庭用トイレや公衆トイレ等のロールペーパーホルダー装置として利用される。
【図面の簡単な説明】
【００３２】
【図１】実施例１のロールペーパーホルダー装置の側面図である。
【図２】前記ロールペーパーホルダー装置の正面図である。
【図３】前記ロールペーパーホルダー装置の一部ローラの平面図である。
【図４】前記ロールペーパーホルダー装置の一部の作動の説明図である。
【符号の説明】
【００３３】
１    ロールペーパーホルダー装置
３    カバー手段（蓋体）
３ｂ  カッター手段（カッター）
３ｃ  ローラ
３ｄ  突片
３ｆ  邪魔板
４    ロールペーパー支持手段（中心軸）
Ｒ    ロールペーパー
【図１】
2005261793.tif 000003
【図２】
2005261793.tif 000004
【図３】
2005261793.tif 000005
【図４】
2005261793.tif 000006